(57)【要約】      （修正有）【課題】  循環槽から循環水を吸水し、所定の循環経路にて循環水を濾過及び浄化している装置で、洗滌、清浄効果を向上させた上で、循環経路内に循環水と共に浮遊してくる不純物、ヌル等を完全に除去する循環濾過装置を提供する。【解決手段】  シリンダ６の断面の形状をブッシングプレート１、プラグプレート２の頂点部位を４個以上、谷部位を４個以上の凹凸を持たせた星型の多角柱にする事で不織布７の表面積を２０％以上も広くし、循環水がシリンダの不織布を通るときには流速は遅く、流体負荷が少ないリタナブルカートリッジフィルタ２０とし、又、シリンダをリターナブル方式にして半永久的に使用、不織布は定期的に取り替える事で、循環水の濾過能力が向上し、循環水の脱色、脱臭効果が上がり、コストの掛からない、フィルター循環濾過器を提供する。【選択図】        図１
2005342703.tif 000002
【特許請求の範囲】
【請求項１】
循環槽から循環水を吸水し、所定の循環経路にて循環水を濾過及び浄化している循環濾過装置で、濾材をフィルターとして用いているフィルター濾過器であって、リタナブルカートリッジフィルタ２０のシリンダ６本体を構成する部品はブッシングプレート１、プラグプレート２の形状を頂点部位４を４個以上、谷部位５を４個以上の凹凸を持たせた星型の多角柱で、各頂点部位４にブリッジ３でブッシングプレート１、プラグプレート２を平行に成る様に繋ぎ合わせたシリンダ６を本体として、シリンダ６の本体と同形でシリンダ６の側面を除く全面に覆い被せる様にプリーツ加工した不織布７と左右の両端に不織布の脇から循環水の浸入を抑えられるプッシャー８とサドル９から成っているリタナブルカートリッジフィルタ２０のフィルターの円周上の表面積を２０％以上広くし、内部抵抗を無くす様な改造をした事での循環水のフィルターを通過する速度が遅くなり、循環水が不織布７との接触時間が長くなって、清浄効果を上げると言う事の提案をする。
【請求項２】
循環槽から循環水を吸水し、所定の循環経路にて循環水を濾過及び浄化している循環濾過装置で、濾材をフィルターとして用いているフィルター濾過器であって、不織布７に脱色、脱臭剤を挟み込み「請求項１」のシリンダ６と同じ形状にプリーツ加工した物を濾布として、シリンダ６に覆い被せる事により、循環器濾過の能力、脱臭、脱色効果が向上すると言う事の提案をする。
【請求項３】
「請求項１」のリタナブルカートリッジフィルタ２０のシリンダ６本体を構成する部品であって、ブッシングプレート１、プラグプレート２の形状を頂点部位４を４個以上、谷部位５を４個以上の凹凸を持たせた星型の多角柱で、各頂点部位４にブリッジ３でブッシングプレート１、プラグプレート２を平行に成る様に繋ぎ合わせたシリンダ６を構成しているブッシングプレート１のセンターにブッシングを取付け、他方のプラグプレート２のセンターにプラグを設けることにより、一定規格外の長さの寸法でもブッシングとプラグを繋ぎ合わせることにより、各種異なる寸法の長さに変更ができ、且つ、「請求項２」に掲げる濾布だけを取り替えることで、半永久的に使えるリタナブルカートリッジシフィルタ２０のシリンダ６の提供をする。
【請求項４】
循環槽から循環水を吸水し、所定の循環経路にて循環水を濾過及び浄化している循環濾過装置で、濾過器の濾材の表面積を広くし、内部抵抗を無くする事で、循環水は配管内の流速は早く，濾過器内では遅くさせる事が出来、配管内面に水の腐敗物のヌルが付き難くなって、循環水の濾過能力、清浄の効果を上げると言う提案をする。
【発明の詳細な説明】
【技術分野】
【０００１】  本発明は循環槽から循環水を吸水し、所定の循環経路にて循環水を濾過及び浄化している装置で、濾材としてカートリッジフィルターを使用しての循環濾過器であって濾過能力の効率を考え、洗滌、清浄効果を向上させた上で、循環経路内に循環水と共に浮遊してくる不純物、ヌル等を完全に除去するという方法に関するものである。
【背景技術】
【０００２】  旧来のカートリジフィルタ１２はフィルタの心棒１１を塩化ビニルの材質で図番１０の様にパイプには数十個の５ｍｍ程度の小穴１４開け、円周上に濾糸１５を等間隔に一定の太さに巻いた物をカートリッジフィルタとして使用、フィルタの取り付けには図番９セットパイプ１０にて濾過器に固定される。この時、循環水の流れとして濾糸１５の間から心棒１１の小穴１４を経てセットパイプ１０の小穴１３を通る事で循環水中に混入している不純物、ヌルが濾糸に付着することで濾過される。【０００３】  現在資源を大切にすると言う事で、各産業に於いてリサイクル，リターナブル方式が進められており、水に対しても今迄の様な豊富に垂れ流しても良いと言う時代でもなくなり、年々減少する地下水及び温泉を始め水資源も見直され、各種循環機器が検討され、その中でも水の濾過装置は重要な役割を担っている。
【発明の開示】
【発明が解決しようとする課題】
【０００４】  カートリッジフィルタ１２の表面積はかなり広い物であるが循環水の流れはカートリッジフィルタ１２の濾糸１５を通ってカートリッジフィルタ１２の中心に向かい、心棒１１の小穴１４を通りその又中にあるセットパイプ１０の小穴を１３を通る事で，カートリジフィルタ１２の表面からセットパイプ１０の小穴１３を通る頃には全体では９０％近く狭くなり、通過可能表面積は１割近くとなってしまう、従って循環水はカートリッジフィルタ１２の一番外側の濾糸１５では循環水の流れは遅く、セットパイプ１０の小穴を１３を通るころには最も早くなってしまう。【０００５】  水の流れは遅ければ遅いほど汚物は引っ掛かり易いが、流れが早いと逆に汚物を押し流していく様にカートリッジフィルタ１２にも一番外側の濾糸１５には汚れが付き易く変色をしているが、心棒１１の近くの濾糸１５の汚れは付き難く変色もない。【０００６】  カートリッジフィルタ１２の心棒１１には内部抵抗は大きく、流速は早い、又、心棒１１の小穴１４を通りその又中にあるセットパイプ１０の小穴を通る事で川の流れに堰を設けた様に、循環水の流れに負荷が加わり、流れが乱れ、その事で泡立ち折角の付着した汚れを押し流してしまう、そして濾過能力、洗滌効果が大幅に落とす結果となり、循環濾過器内主に配管内に付着している不純物、ヌルの流出を確実に除去できず、カートリジフィルタ１２の取替えだけでは充分な効果が得られてない。【０００７】  カートリッジフィルタ濾過装置は他の循環濾過装置と比較して、安価で取り扱いがし易い装置ではあるが、定期的に取替えたカートリッジフィルター１２の材質、廃出された数量、焼却、埋め立て費用が掛かる等のランニングコストが高いので毎回処分が出来ない、従ってカートリッジフィルタに付着した老廃物の臭いを気にしない、人目の付かない広い保管場所が必要となる。
【課題を解決するための手段】
【０００８】  リタナブルカートリッジフィルタ２０のシリンダ６を構成する部品はブッシングプレート１プラグプレート２の形状を頂点部位４を４個以上、谷部位５を４個以上の凹凸を持たせた星型の多角柱で、各頂点部位４にブリッジ２でブッシングプレート１プラグプレート２を平行に成る様に繋ぎ合わせたシリンダ６を本体として、シリンダ６の本体と同形で、シリンダ６の側面を除く全面に覆い被せる様にプリーツ加工した不織布７と左右の両端に不織布７の脇から循環水の浸入を抑えられるプッシャー８とサドル９等から成っている。【０００９】  不織布７の間には循環水の脱色、脱臭効果を出させる物質を挟み合わせた濾材で構成し、不織布７の目付け３００ｇｍ２以上とし、循環水が不織布の材質に接触する面積を増やし時間を長く保てる様に不織布７の重量と厚みを出させ、シリンダ６本体は半永久的にリタナブル方式で使用、不織布７だけを取替えるタイプに改造した。
【発明の効果】
【００１０】  シリンダ６本体の形状を頂点部位４を４個以上、谷部位５を４個以上の凹凸を持たせた星型の多角柱で各頂点部位にブリッジ３でブッシングプレート１プラグプレート２を平行に成る様に繋ぎ合わせたシリンダ６を本体として、シリンダ６の本体と同形で、シリンダ６の側面を除く全面に覆い被せる様にプリーツ加工した不織布７と左右の両端に不織布の脇から循環水の浸入を抑えられるプッシャー８とサドル９にする事でシリンダ６本体の内部抵抗となる物を取り除けた。【００１１】  カートリッジフィルタ１２の濾過器へのセットはブッシングプレート１及びプラグプレート２の両サイドに付いているブッシングとプラグを使う事で長さの寸法を自由に変えられ、そのまま濾過器に直接セットができた。【００１２】  上記のような事から▲１▼不織布７の表面積を現在のカートリッジフィルタ１２の表面積より２０％以上も広くできた。▲２▼カートリッジフィルタ１２内面の流体負荷抵抗に成っていた心棒１１、心棒１１の小穴１４、セットパイプ１０、セットパイプ１０の小穴を１３、循環水の流れを堰き止めていた心棒１１とセットパイプ１０の隙間の狭さ、構造上からくるフィルタ表面積の減少等の問題を解消し、大幅な内部抵抗を減少させ、▲３▼表面積を大きくした事による循環水が不織布７を通る流速を遅くでき、、又濾過器にセットする為の心棒１１、セットパイプ１０を無くなった事による堰き止め現象が押さえられて流れが安定し、泡立ち作用が無くなった。▲４▼シリンダ６本体と不織布７とに分ける事でシリンダ６本体は半永久的にリタナブル方式で使用でき、不織布７については１枚の布として処分できるので、人目につかない所での保管場所の空間の必用性がなく、不織布７に混入されている脱臭、脱色剤によって悪臭もなくなり、産廃費用としてのコストをかける必要性もなくなった。
【発明を実施するための最良の形態】
【００１３】  図番３は図番７のブッシングプレート１と図番８のプラグプレート２を平行に置き、それを図番２のブリッジ３にて繋ぎ合わせた物を図番３のシリンダ６として構成してある。そのシリンダ６に図番６の不織布７を覆い被せ、不織布７の両端に図番４のプッシャー８で不織布７のズレ防止と循環水浸入防止の為に当て、その上から図番５のサドル９にて固定し、組み付けた物図番１として提供するものである。
【実施例１】
【００１４】  シリンダ６本体と不織布７の取り外しが容易に出来、不織布７のみの取替えのため、コスト低減が得られた。
【実施例２】
【００１５】  ブッシングプレート１プラグプレート２のジョイントによりリタナブルカートリッジフィルタ２０の長さを自由に調整が出来、内部抵抗を減少させられ、ポンプ負荷が減少し、コスト低減となる
【実施例３】
【００１６】  シリンダ６の断面の形状を頂点部位４を４個以上、谷部位５を４個以上に凹凸を持たせた星型の多角柱にすることにより、シリンダ６の円周上の表面積が２０％以上も広がり、循環水と不織布７の接触面積が増え、不織布７での通過時間も長く、流速も遅くなるので、汚物が不織布７に引っ掛かり安く、濾過の能力が上がる。
【実施例４】
【００１７】  不織布７を除く全てをリタナブル方法のため、産業廃棄物の減少と悪臭による公害の減少を図れる。
【図面の簡単な説明】
【００１８】
【図１】全体を構成図面でリタナブルカートリッジフィルタ２０（ａ）は前面図（ｂ）左側面図を表わす。
【図２】ブリッジ３（ａ）は前面図、（ｂ）は左側面図を表わす。
【図３】シリンダ６本体部位の組立図で、（ａ）は前面図、（ｂ）は左側面図、（ｃ）は右側面図を表わす。
【図４】プッシャー８を表わし、（ａ）は前面図、（ｂ）は左側面図
【図５】サドル９を描いたもので、（ａ）は前面図、（ｂ）側面図である。
【図６】不織布７を描いた物で（ａ）は前面図で、（ｂ）は右側面図である
【図７】ブッシングプレート１の部位で（ａ）は前面図、（ｂ）は左側面図である
【図８】プラグプレート２の部位で（ａ）は前面図（ｂ）は右側面図である
【図９】フィルタセットパイプの部位で（ａ）は前面図（ｂ）は右側面図である
【図１０】フィルタ心棒の部位で（ａ）は前面図（ｂ）は右側面図である
【図１１】旧フィルタの部位で（ａ）は前面図（ｂ）は右側面図である
【符号の説明】
【００１９】  ２０ーリタナブルカートリッジフィルタ、１−ブッシングプレート、２−プラグプレート、３−ブリッジ、４−頂点部位、５−谷部位、６−シリンダ、７−脱色脱臭剤入り不織布、８−プッシャー、９−サドル、１０−フィルタセットパイプ、１１−フィルタ心棒、１２−旧フィルタ，１３−フィルタセットパイプの小穴、１４−フィルタ心棒小穴、１５−濾糸、１６フィルタセットパイプ取り付けネジ、
【図１】
2005342703.tif 000003
【図２】
2005342703.tif 000004
【図３】
2005342703.tif 000005
【図４】
2005342703.tif 000006
【図５】
2005342703.tif 000007
【図６】
2005342703.tif 000008
【図７】
2005342703.tif 000009
【図８】
2005342703.tif 000010
【図９】
2005342703.tif 000011
【図１０】
2005342703.tif 000012
【図１１】
2005342703.tif 000013